【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
サービスを提供するための外部装置と通信を行う第１の通信手段と、
前記サービスの提供を受けるために必要なデータを記憶した情報記録媒体を着脱自在に装着する装着手段と、
前記装着手段によって装着された情報記録媒体と通信を行う第２の通信手段と、
前記第１の通信手段及び前記第２の通信手段を制御することにより、前記外部装置と前記情報記録媒体との間で行われるデータ授受を中継する制御手段と
を備えることを特徴とする腕時計型情報機器。
【請求項２】
請求項１記載の腕時計型情報機器において、
前記第１の通信手段は、前記外部装置によって間欠的に送信されるポーリング信号を受信すると、これに応じて、当該外部装置に応答信号を送信することを特徴とする腕時計型情報機器。
【請求項３】
請求項１記載の腕時計型情報機器において、
前記装着手段は、当該機器の裏蓋に設けられていることを特徴とする腕時計型情報機器。
【請求項４】
請求項１記載の腕時計型情報機器において、
前記情報記録媒体に対して電力を供給する電力供給手段を備え、これにより、前記情報記録媒体は前記腕時計型情報機器の第２の通信手段と通信を行うことを特徴とする腕時計型情報機器。
【請求項５】
請求項１記載の腕時計型情報機器において、
前記第２の通信手段は、無線により前記情報記録媒体と通信を行うことを特徴とする腕時計型情報機器。
【請求項６】
請求項５記載の腕時計型情報機器において、
前記第２の通信手段は、データ送信要求命令信号を送信し、このデータ送信要求命令信号に応答して前記情報記録媒体から送信されてくる応答信号を受信することを特徴とする腕時計型情報機器。
【請求項７】
請求項１記載の腕時計型情報機器において、
前記第１の通信手段は、前記外部装置の無線通信圏内に間欠的に送信されるポーリング信号を受信すると、これに応じて、前記外部装置に対して応答信号を送信して当該外部装置との通信を開始し、
前記第２の通信手段は、前記第１の通信手段と前記外部装置との間で通信が開始された後に、データ送信要求命令信号を送信し、このデータ送信要求命令信号に応答して前記情報記録媒体から送信されてくる応答信号を受信することを特徴とする腕時計型情報機器。
【請求項８】
請求項１記載の腕時計型情報機器において、
前記第１の通信手段を用いて前記外部装置の正当性を確認する第１の認証手段を備えることを特徴とする腕時計型情報機器。
【請求項９】
請求項１記載の腕時計型情報機器において、
前記第２の通信手段を用いて前記情報記録媒体の正当性を確認する第２の認証手段を備えることを特徴とする腕時計型情報機器。
【請求項１０】
腕時計型情報機器に対して着脱自在に装着可能であり、
サービスの提供を受けるために必要なデータを記憶する記憶手段と、
前記腕時計型情報機器と通信を行う通信手段と、
前記腕時計型情報機器から前記通信手段を介して送信されてくる要求に応じて、前記記録手段に対するデータの書き込み及び前記記録手段に記憶されているデータの読み出しを行う制御手段と
を備えることを特徴とする情報記録媒体。
【請求項１１】
ユーザにサービスを提供する通信システムにおいて、
前記サービスを受けるために必要なデータを記憶した情報記録媒体と、
前記サービスを提供するための外部装置と、
前記外部装置と通信を行う第１の通信手段と、前記情報記録媒体を着脱自在に装着する装着手段と、前記装着手段によって装着された情報記録媒体と通信を行う第２の通信手段と、前記第１の通信手段及び前記第２の通信手段を制御することにより前記外部装置と前記情報記録媒体との間で行われるデータ授受を中継する制御手段と、を備えた腕時計型情報機器と
を備えることを特徴とする通信システム。
【請求項１２】
通信を行う腕時計型情報機器の通信制御方法であって、
サービスを提供する外部装置の正当性を確認する第１の認証ステップと、
前記腕時計型情報機器に着脱自在に装着され、前記サービスの提供を受けるために必要なデータを記憶した情報記録媒体の正当性を確認する第２の認証ステップと、
前記第１の認証ステップ及び前記第２の認証ステップによって正当性が確認された後に、前記外部装置と前記情報記録媒体との間で行われるデータ授受を中継する中継ステップと
を備えることを特徴とする腕時計型情報機器の通信制御方法。
【請求項１３】
請求項１２記載の腕時計型情報機器の通信制御方法において、
前記第１の認証ステップは、
前記外部装置によって間欠的に送信されるポーリング信号を受信するステップと、
前記ポーリング信号を送信してきた外部装置に対し応答信号を送信するステップと、
前記応答信号に応じて外部装置から送信されてくる情報に基づいて当該外部装置の正当性を判断するステップと
からなることを特徴とする腕時計型情報機器の通信制御方法。
【請求項１４】
請求項１２記載の腕時計型情報機器の通信制御方法において、
前記第２の認証ステップは、
ポーリング信号を間欠的に送信するステップと、
前記ポーリング信号を受信した情報記録媒体から送信されてくる応答信号を受信するステップと、
前記情報記録媒体から送信されてくる情報に基づいて当該情報記録媒体の正当性を判断するステップと
からなることを特徴とする腕時計型情報機器の通信制御方法。
【手続補正２】
【補正対象書類名】明細書
【補正対象項目名】００１５
【補正方法】変更
【補正の内容】
【００１５】
上記情報記録媒体において、
前記情報記録媒体は、前記腕時計型情報機器が備える電源装置から電力供給を受けることにより、前記腕時計型情報機器と通信を行うことを特徴とする。
【手続補正３】
【補正対象書類名】明細書
【補正対象項目名】００１６
【補正方法】変更
【補正の内容】
【００１６】
上記情報記録媒体において、
前記通信手段は、無線により前記腕時計型情報機器と通信を行うことを特徴とする。
【手続補正４】
【補正対象書類名】明細書
【補正対象項目名】００１７
【補正方法】変更
【補正の内容】
【００１７】
上記情報記録媒体において、
前記腕時計型情報機器から受信した無線信号を整流する整流手段を備え、
前記整流手段によって無線信号を整流することにより、自身が駆動するための電力を得ることを特徴とする。
【手続補正５】
【補正対象書類名】明細書
【補正対象項目名】００１８
【補正方法】変更
【補正の内容】
【００１８】
上記情報記録媒体において、
前記通信手段は、前記腕時計型情報機器によって間欠的に送信されるポーリング信号を受信すると、これに応じて、当該機器に応答信号を送信することを特徴とする。
【手続補正６】
【補正対象書類名】明細書
【補正対象項目名】００１９
【補正方法】変更
【補正の内容】
【００１９】
請求項１１記載の構成は、ユーザにサービスを提供する通信システムにおいて、
前記サービスを受けるために必要なデータを記憶した情報記録媒体と、
前記サービスを提供するための外部装置と、
前記外部装置と通信を行う第１の通信手段と、前記情報記録媒体を着脱自在に装着する装着手段と、前記装着手段によって装着された情報記録媒体と通信を行う第２の通信手段と、前記第１の通信手段及び前記第２の通信手段を制御することにより前記外部装置と前記情報記録媒体との間で行われるデータ授受を中継する制御手段と、を備えた腕時計型情報機器と
を備えることを特徴とする。
【手続補正７】
【補正対象書類名】明細書
【補正対象項目名】００２０
【補正方法】変更
【補正の内容】
【００２０】
上記通信システムにおいて、
前記腕時計型情報機器の第１の通信手段は、前記外部装置によって間欠的に送信されるポーリング信号を受信すると、これに応じて、当該外部装置に応答信号を送信し、
前記外部装置は、前記送信された応答信号を受信すると、これに応じて、前記腕時計型情報機器にサービスを提供するための処理を開始することを特徴とする。
【手続補正８】
【補正対象書類名】明細書
【補正対象項目名】００２１
【補正方法】変更
【補正の内容】
【００２１】
上記通信システムにおいて、
前記腕時計型情報機器の装着手段は、当該機器の裏蓋に設けられていることを特徴とする。
【手続補正９】
【補正対象書類名】明細書
【補正対象項目名】００２２
【補正方法】変更
【補正の内容】
【００２２】
上記通信システムにおいて、
前記情報記録媒体は、前記腕時計型情報機器が備える電源装置から電力供給を受けることにより、前記腕時計型情報機器の第２の通信手段と通信を行うことを特徴とする。
【手続補正１０】
【補正対象書類名】明細書
【補正対象項目名】００２３
【補正方法】変更
【補正の内容】
【００２３】
上記通信システムにおいて、
前記情報記録媒体は、無線によって通信を行う通信手段を備え、
前記第２の通信手段は、前記情報記録媒体の通信手段と無線により通信を行うことを特徴とする。
【手続補正１１】
【補正対象書類名】明細書
【補正対象項目名】００２４
【補正方法】変更
【補正の内容】
【００２４】
上記通信システムにおいて、
前記情報記録媒体は、前記腕時計型情報機器から受信した無線信号を整流する整流手段を備え、前記整流手段によって無線信号を整流することにより、自身が駆動するための電力を得ることを特徴とする。
【手続補正１２】
【補正対象書類名】明細書
【補正対象項目名】００２５
【補正方法】変更
【補正の内容】
【００２５】
上記通信システムにおいて、
前記腕時計型情報機器の第１の通信手段は、前記外部装置によって間欠的に送信されるポーリング信号を受信すると、これに応じて、当該外部装置に応答信号を送信して前記外部装置との通信を開始し、
前記腕時計型情報機器の第２の通信手段は、前記外部装置との通信が開始されると、データ送信要求命令信号を送信し、このデータ送信要求命令信号に応答して前記情報記録媒体から送信されてくる応答信号を受信する
ことを特徴とする。
【手続補正１３】
【補正対象書類名】明細書
【補正対象項目名】００２６
【補正方法】変更
【補正の内容】
【００２６】
請求項１２記載の構成は、通信を行う腕時計型情報機器の通信制御方法であって、
サービスを提供する外部装置の正当性を確認する第１の認証ステップと、
前記腕時計型情報機器に着脱自在に装着され、前記サービスの提供を受けるために必要なデータを記憶した情報記録媒体の正当性を確認する第２の認証ステップと、
前記第１の認証ステップ及び前記第２の認証ステップによって正当性が確認された後に、前記外部装置と前記情報記録媒体との間で行われるデータ授受を中継する中継ステップと
を備えることを特徴とする。
【手続補正１４】
【補正対象書類名】明細書
【補正対象項目名】００２７
【補正方法】変更
【補正の内容】
【００２７】
請求項１３記載の構成は、請求項１２記載の腕時計型情報機器の通信制御方法において、
前記第１の認証ステップは、
前記外部装置によって間欠的に送信されるポーリング信号を受信するステップと、
前記ポーリング信号を送信してきた外部装置に対し応答信号を送信するステップと、
前記応答信号に応じて外部装置から送信されてくる情報に基づいて当該外部装置の正当性を判断するステップと
からなることを特徴とする。
【手続補正１５】
【補正対象書類名】明細書
【補正対象項目名】００２８
【補正方法】変更
【補正の内容】
【００２８】
請求項１４記載の構成は、請求項１２記載の腕時計型情報機器の通信制御方法において、
前記第２の認証ステップは、
ポーリング信号を間欠的に送信するステップと、
前記ポーリング信号を受信した情報記録媒体から送信されてくる応答信号を受信するステップと、
前記情報記録媒体から送信されてくる情報に基づいて当該情報記録媒体の正当性を判断するステップと
からなることを特徴とする。
【手続補正１６】
【補正対象書類名】明細書
【補正対象項目名】００３１
【補正方法】変更
【補正の内容】
【００３１】
外部送受信装置２００は、腕時計型情報機器１００と近距離無線によるデータ通信を行って該機器１００との間でサービスに関連したデータの授受を行う一方、関連設備３００とデータ通信を行ってユーザにサービスを提供する。例えばサービス事業者が鉄道事業者である場合、外部送受信装置２００は、改札ゲートに内蔵されており、腕時計型情報機器１００とデータ通信を行ってメモリカード４００内の電子マネーから運賃を差し引く処理を行う。
図１に示すように、外部送受信装置２００は、装置２００全体を制御する制御装置２０１と、制御装置２０１の制御下で送信信号を生成し出力する送信回路２０２と、腕時計型情報機器１００から送信された受信信号を復調して受信データとして制御装置２０１に出力する受信回路２０３と、アンテナ２０５を介して腕時計型情報機器１００との間で信号の授受を実行するための高周波回路２０４とを有している。ここで、送信回路２０２は、例えばキャリア周波数１３．５６ＭＨｚの送信信号を生成するようになっている。この周波数は、数センチ程度の近距離通信に適した周波数であるので、ユーザが自身の腕時計型情報機器１００を外部送受信装置２００のアンテナ２０５の数センチ以内に近接させた場合に、外部送受信装置２００と腕時計型情報機器１００との間でデータ通信が行われるようになっている。
【手続補正１７】
【補正対象書類名】明細書
【補正対象項目名】００３８
【補正方法】変更
【補正の内容】
【００３８】
カード制御回路１２０は、図示せぬＣＰＵ（Central  Processing  Unit）や各種メモリの他、暗号処理を司る暗号処理回路１２１を備えている。この暗号処理回路１２１は、例えばＤＥＳ（Data  Encryption  Standard）やＲＳＡ（R.L.Riverst A Shamir L. Adelman）等の暗号方式を採用し、暗号化された受信データの復号化や、非暗号化のデータを暗号化を行う機能を備えている。
カード制御回路１２０は、暗号処理回路１２１による暗号・復号機能を用いて、外部送受信装置２００との間で暗号化されたデータ通信を行う。これにより、ユーザのプライバシーに関する情報が第３者に漏洩することなく、セキュリティが維持される。